(57)【要約】【課題】  意匠性に優れ、予防的な防犯性が高い雨戸１００を提供する。【解決手段】  建物開口部１０に設けられたサッシ枠２０の室外側に、該建物９０若しくはサッシ枠２０から室外方向へと延出する延出部３０によってサッシ枠２０から離隔させて雨戸枠４０を設け、該雨戸枠４０は、レール部５０、５１を有する上下の枠を備えるとともに、該レール部５０、５１に沿って雨戸パネル７０ａ、７０ｂ、７０ｃを開閉可能に設け、雨戸パネル７０ａ、７０ｂ、７０ｃ全閉時に室内の光を室外側に通過させる光通過部８０を建物９０、又はサッシ枠２０と雨戸枠４０との間に設ける。【選択図】      図１
2005273202.tif 000002
【特許請求の範囲】
【請求項１】
建物開口部に設けられたサッシ枠の室外側に、該建物又はサッシ枠から室外方向へと延出する延出部によって前記サッシ枠から離隔させて雨戸枠を設け、
該雨戸枠は、レール部を有する上下の枠を備えるとともに、該レール部に沿って雨戸パネルを開閉可能に設け、
前記雨戸パネル全閉時に室内の光を室外側に通過させる光通過部を前記建物、又はサッシ枠と雨戸枠との間に設けたことを特徴とする、雨戸。
【請求項２】
前記光通過部は、開口部として形成されていることを特徴とする請求項１に記載の雨戸。
【発明の詳細な説明】
【技術分野】
【０００１】
本発明は、雨戸に関し、特に防犯性や意匠性に優れた雨戸に関する。
【背景技術】
【０００２】
風雨・寒気・盗難などを防ぐために、建物の縁側・窓などの外側に雨戸が取り付けられることが多い。従来、雨戸は台風来襲の地では風雨から建物を、特に建物開口部のガラス障子などを保護する目的で、また、寒冷の地では室内を外界の寒気から遮断するという目的に使用されてきた。一方、都会地では外部から室内の様子を見えないようにするプライバシーの保護、かつ留守中には賊が容易に室内に侵入することを防止するという防犯上の観点から、雨戸が使用されてきた。
【発明の開示】
【発明が解決しようとする課題】
【０００３】
しかし、人々の生活が豊になるにつれ、特に市街地における雨戸に対する要求も変わりつつある。すなわち、雨戸閉鎖状態において、雨戸と建物とがかもし出す外観にファッション性が求められるようになり、また、防犯に関しても、賊の侵入を物理的に防止するという機能から、さらに一歩進んで、賊に建物内への侵入をあきらめさせるという観点からの性能が要求されている。
【０００４】
そこで、本発明は、意匠性に優れ、予防的な防犯性が高い雨戸を提供することを課題とする。
【課題を解決するための手段】
【０００５】
以下、本発明について説明する。なお、本発明の理解を容易にするために添付図面の参照符号を括弧書きにて付記するが、それにより本発明が図示の形態に限定されるものではない。
【０００６】
請求項１の発明は、建物開口部（１０）に設けられたサッシ枠（２０）の室外側に、該建物（９０）又はサッシ枠から室外方向へと延出する延出部（３０、３０ａ、２３０ａ、２３０ｂ）によって、サッシ枠から離隔させて雨戸枠（４０、２４０）を設け、該雨戸枠は、レール部（５０、５１）を有する上下の枠（６０、２６０ａ、２６０ｂ）を備えるとともに、該レール部に沿って雨戸パネル（７０ａ〜７０ｄ、２７０ａ〜２７０ｄ）を開閉可能に設け、雨戸パネル全閉時に室内の光を室外側に通過させる光通過部（８０）を建物、又はサッシ枠と雨戸枠との間に設けたことを特徴とする雨戸（１００、２００）を提供して前記課題を解決しようとするものである。
【０００７】
また請求項２に記載の発明は請求項１に記載の雨戸（２００）において、光通過部は開口部（２８０ａ〜２８０ｊ）として形成されていることを特徴とする。
【発明の効果】
【０００８】
請求項１に記載の発明によれば、夜間周囲が暗くなったときに、室内の明かりが灯されると、この明かりが光通過部から室外側に漏れて、雨戸の周囲の建物外壁に反射する。この結果、室外側からは建物が浮かび上がっているように見え、建物の美感が向上する。さらに、雨戸枠が室外側に延出されているので、室外側に張り出した戸袋を必要としない。このため、雨戸全体の外観がすっきりしたものとなり、建物との外観上の調和も容易となるので、この点でも意匠性の向上に資することができる。
【０００９】
また、建物外壁に反射された明かりは、ほの暗い建物の周囲を明るく照らし出すので、当該住宅の庭や、住宅が面する通り、街並みの暗闇が明るくなり、不審者に侵入しようとする気を起こさせない等の、犯罪を未然に防止する効果がある。
【００１０】
請求項２の発明によれば、強度の高い雨戸を構成することができるとともに、光が通過すべき位置を、開口部を形成する位置として任意に設定できるので、室外側に漏れる光の量や位置を自由に設定することが可能である。
【００１１】
本発明のこのような作用及び利得は、次に説明する発明を実施するための最良の形態から明らかにされる。
【発明を実施するための最良の形態】
【００１２】
本発明は、雨戸に関するものである。その雨戸は、
（１）建物の開口部に設けられたサッシ枠の室外側に、その建物、又はサッシ枠から室外方向へと延出する延出部によって、サッシ枠から離隔させて雨戸枠を設け、
（２）その雨戸枠は、レール部を有する上下の枠を備えるとともに、そのレール部に沿って雨戸パネルを開閉可能に設け、
（３）雨戸パネル全閉時に室内の光を室外側に通過させる光通過部を建物、又はサッシ枠と雨戸枠との間に設けたことを特徴とするものである。
【００１３】
以下にこれら本発明の雨戸に関する構成を、図面を参照しつつ説明する。
【００１４】
図１は、本発明の雨戸１００を含む建物開口部１０を示す水平断面図である。この図では建物開口部１０の左側約半分が示されており、開口部右側の図示は省略されている。図においてＣ−Ｃ線で示されているのが建物開口部１０の中心線にあたる。図面上方が室外側、下方が室内側を示している。建物開口部１０の室内側には額縁１１が、室外側にはサッシ枠２０がそれぞれに取り付けられている。サッシ枠２０内には、内外に２枚の引き違い障子２１、２２が収められている。これら各障子２１、２２には複層ガラスパネル２３、２４が嵌め込まれており、また、それらに備えられた四辺の枠の室内側には、外障子２１の召し合せ部を除き樹脂材２５、２６が取り付けられている。障子２１、２２のさらに室外側には網戸２７が取り付けられている。
【００１５】
建物開口部１０左右の建物９０の壁９１にはブラケット３０を介して雨戸枠４０が取り付けられている。雨戸枠４０は、建物開口部１０に対して、後に説明する左右の雨戸収容部の分だけ、建物開口部１０の左右にそれぞれ長く設けられている。ブラケット３０は、フランジ部３２ａを介して固定部材３３ａ、３３ｂ、３３ｃにより建物９０に固定されている。固定部材３３ａ〜３３ｃの先端は、建物壁９１を貫き、開口部支持部材１０２に差し入れられている。かかる構成により、雨戸枠４０が建物９０に堅固に固定されている。
【００１６】
雨戸枠４０は図示の通り、ブラケット３０により、建物９０本体から所定距離離隔して配置されている。したがって、建物９０の壁９１と、雨戸枠４０との間には空間が存在する。そしてこの空間は、雨戸枠４０の周囲にブラケット３０の部分を除いて連続し、空隙８０となって外部に通じている。例えば夜間に、雨戸１００を閉鎖して室内の明かりを点灯すると、明かりは複層ガラスパネル２３、２４を透過して、この空隙８０に達し、雨戸枠４０の周囲から外部に漏れる。一例として、図１において一点鎖線により示される光線Ｌ１の軌跡を参照されたい。
【００１７】
雨戸枠４０には、左右各２枚、合計４枚の雨戸パネル７０ａ、７０ｂ、７０ｃ、７０ｄが備えられている。各雨戸パネル７０ａ〜７０ｄの幅（図の左右方向）は略同一に形成されている。図１において、実線で示されているのが閉鎖時の、点線で示されているのが開放時の、雨戸パネル７０ａ、７０ｂの配置である。すなわち、左側２枚の雨戸パネル７０ａ、７０ｂは雨戸開放時に左側の雨戸収納部４１ａに、室内外方向に重ねて引き寄せられる。また、右側２枚の雨戸パネル７０ｃ、７０ｄ（図１には雨戸パネル７０ｃの一部のみ表されており、雨戸パネル７０ｄは図示されていない。）は雨戸開放時に右側の雨戸収納部４１ｂ（不図示）に重ねて引き寄せられる。雨戸収容部４１ａ、４１ｂの左右方向の長さは、各雨戸パネル７０ａ〜７０ｄの幅よりやや長めに設定されている。雨戸の閉鎖時には、中央側に雨戸パネル７０ｂ、７０ｃが突き合わされて配置され、それらの両側に雨戸パネル７０ａ、７０ｄがそれぞれ配置される。これら雨戸パネル７０ａ〜７０ｄの開閉動作については後に詳しく説明する。
【００１８】
図示の如く、雨戸収容部４１ａ（４１ｂ）が、雨戸枠４０において、室外側に突出することなく、雨戸枠４０の室外側の面は平坦に形成されている。すなわち室外側に張り出した戸袋を必要としない。このため、雨戸１００全体の外観がすっきりしたものとなり、建物９０との外観上の調和も容易となるので、この点でも意匠性の向上に資することができる。
【００１９】
雨戸枠４０の上下には雨戸パネル７０ａ〜７０ｄの開閉動作を案内するレールが設けられている。ここでは便宜上雨戸枠４０の下枠４０ｃ（図２参照）側のレールについて説明する。上枠４０ａにも同様の構成が設けられているものとする。下枠４０ｃの室外側には外レール５０が設けられている。外レール５０は、雨戸枠４０の幅方向全長にわたり、直線状に形成されている。雨戸１００の閉鎖時に中央側に配置される雨戸パネル７０ｂ、７０ｃは外レール５０上に案内されて、開閉動作が行われる。一方、下枠４０ｃの室内側には内レール５１が設けられている。内レール５１は、左右の雨戸収容部４１ａ、４１ｂの幅方向よりやや短い長さを有するとともに、それぞれ雨戸収容部４１ａ、４１ｂ内に配置されている端部レール５１ｃ、５１ｃ（右側の端部レール５１ｃは図示されていない。）と、端部レール５１ｃより室外方向に配置される中央部レール５１ａと、中央部レール５１ａの左右両端と各端部レール５１ｃ、５１ｃとを結ぶ斜行レール５１ｂ、５１ｂ（右側の斜行レール５１ｂは図示されていない。）と、を備えている。雨戸１００の閉鎖時に両端側に配置される雨戸パネル７０ａ、７０ｄは、内レール５１に案内されて、開閉動作が行われる。なお、雨戸パネル７０ｂ、７０ｃは、外レール５０の直上を図の左右に移動され、雨戸パネル７０ａ、７０ｄはそれらの室内側に取り付けられたガイド部材７１、７２を介して内レール５１のやや室外側を図の左右方向に移動される。これら各雨戸パネル７０ａ〜７０ｄが開閉時にレール５０、５１により案内される動作については後に詳しく説明する。
【００２０】
図２は、本発明の雨戸を含む建物開口部を示す垂直断面図である。この図においては図面右側が室内側、左側に室外側を表している。なお、図１においてすでに説明した部材と同一の部材については、図１における参照符号と同一の参照符号を付してその説明を省略する。上下の雨戸枠４０ａ、４０ｃは、上下のブラケット３０ａ、３０ｂにより建物９０の壁９１に取り付けられている。ブラケット３０ａ、３０ｂは、フランジ部３２ｂを介して固定部材３３ｄ〜３３ｉによって、建物９０に固定されている。固定部材３３ｄ〜３３ｉの先端は、建物壁９１を貫き、開口部支持部材１０２に差し入れられている。プライバシー保護の観点からは、各雨戸７０ａ〜７０ｄの高さは、建物開口部１０の上下方向の長さよりやや大きめに形成して、室外側から閉鎖状態の雨戸を透視した場合、上下の部分が建物開口部１０からはみ出して、建物壁９１と重複している部分が存在するようにすることが好ましい。
【００２１】
図示のように、雨戸枠４０ａ、４０ｃはブラケット３１ａ、３１ｂによって、建物壁９１から室外側に所定距離離隔して配置されており、建物壁９１と雨戸枠４０との間には空隙８０が存在する。したがって、雨戸１００の閉鎖時に、室内の明かりは、複層ガラスパネル２３、２４を透過して、雨戸パネル７０ａ〜７０ｄの室内側の面に反射され、雨戸枠４０周囲の空隙８０から室外側に漏れ、周囲の建物壁を照らし出す。一例として、図２に一点鎖線にて示されている、室内側から雨戸パネル７０ａに反射し、さらに建物９０と雨戸枠４０との間で複数の反射を繰り返し、上方の空隙８０から外部に漏れる光線Ｌ２の軌跡を参照されたい。このように、本発明にかかる窓１００においては、図１及び図２において説明したように、雨戸枠の四辺から室内の明かりが外部に漏れる。したがって、外部からは、この漏れた明かりに照らされて、雨戸枠４０周囲の建物９０の外壁９１が明るく浮かび上がって見える。これにより建物の美感が向上する。また、建物外壁に反射された明かりは、ほの暗い建物の周囲を明るく照らし出すので、当該住宅の庭や、住宅が面する通り、街並みの暗がりが明るくなり、不審者に侵入しようとする気を起こさせない等の、犯罪を未然に防止する効果がある。
【００２２】
次に雨戸１００の開閉動作について図３及び図４を参照しつつ説明する。
【００２３】
図３は、本発明の雨戸の開閉機構を示す概念図である。この図では雨戸１００に備えられた４枚の雨戸パネル７０ａ〜７０ｄを閉鎖した状態を、室内側正面から表したものである。４枚の雨戸パネル７０ａ〜７０ｄの両端側方にはローラ８３、８４が回転自由に設けられている。これらのローラ８３、８４は雨戸枠４０に対して所定位置に固定されている。ローラ８３、８４にはそれぞれ、ベルト８５、８６が架け渡されている。ベルト８５の一端側は雨戸パネル７０ｂの図のＡで示されている点に固定されている。また、ベルト８５の他端側は雨戸パネル７０ｃの図のＸで示されている点に固定されている。一方、ベルト８６の一端側は雨戸パネル７０ｂの図のＢで示されている点に固定され、ベルト８６の他端側は雨戸パネル７０ｃの図のＹで示されている点に固定されている。さらに、雨戸パネル７０ｂ、及び７０ｃの室内側にはそれぞれ引き手８１、８２が取り付けられている。
【００２４】
かかる構成において、図示の雨戸１００を閉鎖した状態から、雨戸パネル７０ｂの引き手８１を開放側（図の左方向）に引くと、雨戸パネル７０ｂにＢ点で固定されたベルト８６が左方向に引かれ、その力はローラ８４により左右逆方向に転換される。これによって、雨戸パネル７０ｃにＹ点で固定されているベルト８６は、雨戸パネル７０ｃに図の右方向に移動する力を与える。かくして、雨戸パネル７０ｂの引き手８１を左方向に引くだけで中央部の２枚の雨戸パネル７０ｂ、７０ｃが左右方向に連動して移動され、開放動作がおこなわれる。また、雨戸パネル７０ｃの引き手８２を開放側（図の右方向）に引くと、雨戸パネル７０ｃにＸ点で固定されたベルト８５が右方向に引かれ、その力はローラ８３により左逆方向に転換される。これによって、雨戸パネル７０ｂにＡ点で固定されているベルト８５は、雨戸パネル７０ｂに図の左方向に移動する力を与える。かくして、雨戸パネル７０ｃの引き手８２を左方向に引くことによっても、中央部の２枚の雨戸パネル７０ｂ、７０ｃが左右方向に連動して移動され開放動作が行われる。
【００２５】
一方、雨戸１００が開放された状態から雨戸パネル７０ｂの引き手８１を閉鎖側（図の右方向）に引くと、雨戸パネル７０ｂにＡ点で固定されたベルト８５が右方向に引かれ、その力はローラ８３により左右逆方向に転換される。これによって、雨戸パネル７０ｃにＸ点で固定されているベルト８５は、雨戸パネル７０ｃに図の左方向に移動する力を与える。かくして、雨戸パネル７０ｂの引き手８１を右方向に引くと中央部の２枚の雨戸パネル７０ｂ、７０ｃが左右方向に連動して移動され、閉鎖動作がおこなわれる。また、雨戸パネル７０ｃの引き手８２を閉鎖側（図の左方向）に引くと、雨戸パネル７０ｃにＹ点で固定されたベルト８６が左方向に引かれ、その力はローラ８４により左逆方向に転換される。これによって、雨戸パネル７０ｂにＢ点で固定されているベルト８６は、雨戸パネル７０ｂに図の右方向に移動する力を与える。かくして、雨戸パネル７０ｃの引き手８２を右方向に引くことによっても、中央部の２枚の雨戸パネル７０ｂ、７０ｃが左右方向に連動して移動され閉鎖動作が行われる。これら中央部の雨戸パネル７０ｂ、７０ｃの動作に両端側の雨戸パネル７０ａ、７０ｄは連動するが、その詳細は次の図４の説明において行う。
【００２６】
図４は、本発明の雨戸パネル７０ａ〜７０ｄとレール５０、５１との位置関係を示す平面図である。ただし図４では雨戸１００の左側のみ示されているが、雨戸１００の右側においても左右方向逆にして同様の動作が行われているものとする。
【００２７】
図４において、（ａ）は、雨戸１００が完全に開放されている状態、（ｄ）は、雨戸１００が完全に閉鎖されている状態、そして（ｂ）及び（ｃ）は、それらの中間の状態を表している。
【００２８】
図４（ａ）において、明らかなように、室外側雨戸パネル７０ｂは、直線状の外レール５０の直上を外レール５０に案内されて左右方向に移動される。一方、室内側雨戸パネル７０ａにはその室内側側面に、ガイド部材７１、７２が取り付けられている。室内側雨戸パネル７０ａは、ガイド部材７１、７２を介して内レール５１に案内されて左右方向に移動される。そして内レール５１は、建物開口部１０に対面する部分では、外レール５０寄りに配置され、雨戸パネル収容部４１ａの部分では、外レール５０から所定距離離隔され、その離隔されている距離は、雨戸パネル２枚が重ねて収容されるのに十分な大きさに設定されている。
【００２９】
次に、雨戸パネル７０ａ、７０ｂの連結連動機構について説明する。雨戸パネル７０ｂの左端部には連結部材１２０が取り付けられている。連結部材１２０はその一端側１２１が雨戸パネル７０ｂに回動自由に取り付けられていて、他端１２２は自由端になっており、不図示の弾性部材により室内側の雨戸パネル７０ａ方向に付勢されている。図４（ａ）の雨戸開放状態においては、自由端１２２は雨戸パネル７０ａに接しており、その表面上を左右方向に摺動できる。雨戸１００を閉鎖するため、図４（ａ）の状態から雨戸パネル７０ｂを図４（ｂ）の位置まで移動させ、さらに自由端１２２が雨戸パネル７０ａの右端まで達すると、自由端１２２の係合部材（不図示）が、雨戸パネル７０ａ右端に設けられている被係合部材（不図示）に係合され、両雨戸パネル７０ｂ、７０ａの左右の端部が連結される。この連結状態で、さらに雨戸パネル７０ｂを右方向に引き寄せると、すでに雨戸パネル７０ｂに連結されている雨戸パネル７０ａは、斜行レール５１ｂ上を右方向に移動され、外レール５０の方向（室外方向）に寄ってゆく。そして雨戸１００の閉鎖時にはガイド部材７１、７２は、内レールの中央部レール５１ａ上にあるので、雨戸パネル７０ａは、完全に外レール５０の直上まで室外側に引き寄せられていて、２枚の雨戸パネル７０ａ、７０ｂの室外側の面は、面一となる（図４（ｄ）参照）。また、雨戸開放時には上記と逆の動作が行われる。したがって、雨戸１００の開放時には、雨戸パネル７０ａ、７０ｂは室内外方向に２枚に重ねられて、雨戸収容部４１ａに収容され、雨戸１００の閉鎖時には、２枚の雨戸パネル７０ａ、７０ｂは、建物開口部１０の室外側に一直線上に配列される。かくして、本発明にかかる雨戸１００は、各中央側雨戸パネル７０ｂ、７０ｃ、及び両側雨戸パネル７０ａ、７０ｄにそれぞれ１本ずつレール５０、５１があり、それにより雨戸１００を開けるときの分岐の際（室内外に重ね合わせるように収納する際）、特別な装置を必要とせずに、しかもスムーズに分岐させることができる。よって、雨戸１００を安価に構成することができる。
【００３０】
なお、以上の説明では雨戸パネルを導くレールを室内外方向に配置された２本のレールとして説明したが、２本のレールは、室内外方向（平面図の視点）については同一位置であって、上下に配置されたものであってもよい。
【００３１】
図５は、変形例の雨戸を含む建物の開口部を示す斜視図である。この変形例にかかる雨戸２００においては、上下の部材２３０ａ、２３０ｂが直接建物９０から延出されており、その先端側（室外側）に上下の雨戸枠２６０ａ、２６０ｂが設けられて、そこに４枚の雨戸パネル２７０ａ、２７０ｂ、２７０ｃ、２７０ｄが配置されている。なお、本実施形態では上下の部材２３０ａ、２３０ｂの先端側が上下の雨戸枠２６０ａ、２６０ｂを構成している。すなわち上下の雨戸枠２６０ａ、２６０ｂは、上下の部材２３０ａ、２３０ｂの一部を構成している。この雨戸２００においては、上下方向は上下の部材２３０ａ、２３０ｂにより閉鎖されているので、室内の光を通過させるべく上下の部材２３０ａ、２３０ｂに光通過孔２８０ａ〜２８０ｊ（光通過孔２８０ｆ〜２８０ｈは死角にあり、図には現れていない。）が設けられている。かかる構成によっても、上述した雨戸１００と同一の効果を奏することが可能である。また、本変形例の雨戸２００のごとく、雨戸枠を建物、あるいはサッシ枠から延出された面状部材に固定し、かかる面状部材に開口部を設けてその開口部から光が外部に漏れるように構成すれば、強度の高い雨戸を構成することができる。また、光が通過すべき位置を、開口部を形成する位置として任意に設定できるので、室外側に漏れる光の量や位置を自由に設定することが可能となるという利点がある。
【００３２】
本発明の雨戸１００、２００を構成する材料は通常の雨戸を構成する材料と同様なものを使用することができる。枠体はアルミニウム等の押し出し材、雨戸パネルは、アルミニウム薄板や、鋼板薄板などの金属材料を好適に使用することができる。
【００３３】
最後に参考までに通常の雨戸を、本発明の雨戸１００、２００の効果と比較しつつ、図６Ａ、６Ｂを参照して説明する。図６Ａは、通常の雨戸を含む建物開口部を示す水平断面図である。また、図６Ｂは、通常の雨戸を含む建物開口部を示す垂直断面図である。これらの図は建物開口部５１０に取り付けられた雨戸５００の閉鎖状態を示すものである。建物９００から室外側に演出されている雨戸５００には建物９００との間に隙間は存在しない。したがって、図６Ａで示される光線Ｌ１１、Ｌ１２、及び図６Ｂで示されている光線Ｌ１３は、雨戸パネル（この例では断熱用の発泡ウレタンが２枚の鋼板の間に狭持されている。）によりはね返され、室外側に漏れてゆくことがない。また、雨戸５００の室外側には、戸袋５２０が外方に突出して設けられている。これは雨戸５００の美観にマイナスのイメージを与えている。
【００３４】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う雨戸もまた本発明の技術的範囲に包含されるものとして理解されなければならない。
【図面の簡単な説明】
【００３５】
【図１】本発明の雨戸を含む建物開口部を示す水平断面図である。
【図２】本発明の雨戸を含む建物開口部を示す垂直断面図である。
【図３】本発明の雨戸の開閉機構を示す概念図である。
【図４】本発明の雨戸とレールとの位置関係を示す平面図である。
【図５】変形例の雨戸を含む建物開口部を示す斜視図である。
【図６Ａ】通常の雨戸を含む建物開口部を示す水平断面図である。
【図６Ｂ】通常の雨戸を含む建物開口部を示す垂直断面図である。
【符号の説明】
【００３６】
１０  建物開口部
２０  サッシ枠
３０、３０ａ、３０ｂ  ブラケット（延出部）
４０  雨戸枠
５０、５１  レール部
６０  上下の枠
７０、７０ａ〜７０ｄ、２７０ａ〜２７０ｄ  雨戸パネル
８０  空隙（光通過部）
９０  建物
９１  壁
１００  雨戸
２４０ａ、２４０ｂ  雨戸枠
２３１、２３２上下の部材（延出部）
２８０ａ〜２８０ｊ  光通過孔（光通過部、開口部）
【図１】
2005273202.tif 000003
【図２】
2005273202.tif 000004
【図３】
2005273202.tif 000005
【図４】
2005273202.tif 000006
【図５】
2005273202.tif 000007
【図６Ａ】
2005273202.tif 000008
【図６Ｂ】
2005273202.tif 000009